(57)【特許請求の範囲】
【請求項１】
上部に巾着状の開口部(3)を有する客土用袋体(2)の大気に晒される面(4)を断熱素材(5)を収納する耐腐食性シートで作製すると共に、法面(1)に接触する裏面(43)を植栽した植物の根が生育によって通過し、且つ地山からの水分が供給できる素材で作製し、前記袋体を法面(1)に設置し、開口部(3)において植栽をすることを特徴とする切土法面、硬質岩盤法面、モルタル吹付層等の草木苗植栽方法。
【請求項２】
上部に巾着状の開口部(3)を有する客土用袋体(2)の大気に晒される面(4)を耐腐食性シートで内外の二重構造(41)・(42)に形成すると共にその間に断熱素材(5)を収納し、且つその断熱素材(5)を軽量骨材あるいは発泡スチロールもしくは発泡スチロール減容化材又は砕石もしくは砂利を用いた客土用袋体(2)の裏面(43)を植栽した植物の根が生育によって通過且つ水分が通過できる素材で作製して法面(1)に設置したことを特徴とする切土法面、硬質岩盤法面、モルタル吹付層等の草木苗を植栽した緑化法面。
【請求項３】
上部に巾着状の開口部(3)を有する客土用袋体(2)の大気に晒される面(4)を耐腐食性シートで内外の二重構造(41)・(42)に形成すると共にその間に断熱素材(5)を収納し、且つその断熱素材(5)を軽量骨材あるいは発泡スチロールもしくは発泡スチロール減容化材又は砕石もしくは砂利を用い、前記の断熱素材(5)にセメント等の硬化材を混合した客土用袋体(2)の裏面(43)を植栽した植物の根が生育によって通過且つ水分が通過できる素材で作製して法面(1)に設置したことを特徴とする切土法面、硬質岩盤法面、モルタル吹付層等の草木苗を植栽した緑化法面。
【発明の詳細な説明】
【０００１】
【産業上の利用分野】
本発明は切土法面、硬質岩盤法面、モルタル吹付層等の草木苗植栽方法及びその草木苗を植栽した緑化法面並びに草木苗植栽用客土袋に関し、法面に客土袋を設置して植栽を行う工事において、大気に晒される表面側と地山に接触する裏面側の構造又は部材や材質を変えることによって、植栽植物の根の活着を確実にすると共に生育促進を図ることを目的とする。
【０００２】
【従来の技術】
近年、法面を自然環境や人間環境の修復の場にしようとする気運が高まり、法面の樹林化が進められようとしている。この場合、播種による樹林化の方法も採られているが、まだまだ問題も多く、低木植栽による方法に頼らざるを得ないのが現状である。
【０００３】
【発明が解決しようとする課題】
ところが、従来の既設法面には、本発明の出願人等が提供した所謂グリーンポケット工法（例えば特許第２２２５６９号「特公平２−５２０５０号」、実用新案登録第１９４７８０６号「実公平４−１５７９７号」）等があり、その緑化実績も上がっている。モルタル吹付による客土袋の開口部を巾着状に絞る密閉施工のため、水分保持がよく乾燥に対してもかなり強い。しかしながら、客土袋の設置や吹付施工等の施工手間や機械の経費もかなり要することになる。
また、土のう等の客土袋を設置してポットで育成した苗を植栽する方法も多く行われているが、乾燥に対する対策はあまり講じていなかったのが実情である。
【０００４】
【課題を解決するための手段】
そこで、本発明は発明の目的を達成し、且つ従来技術の課題を解決するために提供するものである。
本発明の第１は、切土法面、硬質岩盤法面、モルタル吹付層等の草木苗植栽方法において、植栽用の開口部を有する客土用袋体の大気に晒される面を断熱素材を収納する耐腐食性シートで作製すると共に、法面に接触する裏面を植栽した植物の根が生育によって通過し、且つ地山からの水分が供給できる素材で作製し、前記袋体を法面に設置し、開口部において植栽をするようにしたものである。
【０００５】
本発明の第２は、切土法面、硬質岩盤法面、モルタル吹付層等の草木苗植栽方法において、巾着状の開口部を有する客土用袋体の大気に晒される面を断熱素材を収納する耐腐食性シートで作製すると共に、法面に接触する裏面を植栽した植物の根が生育によって通過し、且つ地山からの水分が供給できる素材で作製し、前記袋体を設置する部位の法面の水平方向に保水孔をあけ、その保水孔内に保水ロープや紐その他の保水性部材を挿入するようにしておくものである。
【０００６】
本発明の第３は、切土法面、硬質岩盤法面、モルタル吹付層等の草木苗を植栽した緑化法面において、巾着状の開口部を有する客土用袋体の大気に晒される面を耐腐食性シートで内外の二重構造に形成し、且つその間に断熱素材を収納し、客土用袋体の裏面を植栽した植物の根が生育によって通過し、且つ水分が通過できる素材で作製して法面に設置し、且つ客土用袋体に対峙する法面の水平方向にあけた保水孔に保水性ロープや紐その他の保水部材を挿入したものである。
【０００７】
本発明の第４は、切土法面、硬質岩盤法面、モルタル吹付層等の草木苗植栽用客土袋において、巾着状の開口部を有する客土用袋体の大気に晒される表面を耐腐食性シートで内外の二重構造に形成し、且つその間に断熱素材を収納し、法面に接触する裏面を植栽した植物の根が生育によって通過すると共に、地山からの水分が補給できる素材で作製したものである。
【０００８】
本発明の第５は、第１の発明あるいは第２の発明又は第３の発明もしくは第４の発明に係る切土法面、硬質岩盤法面、モルタル吹付層等の草木苗植栽方法及びその草木苗を植栽した緑化法面並びに草木苗植栽用客土袋において、客土用袋体の法面に接触する裏面の上方において、法面と裏面との間に吸水兼透水性マットを配置したものである。
【０００９】
本発明の第６は、第１の発明あるいは第２の発明又は第３の発明もしくは第４の発明に係る切土法面、硬質岩盤法面、モルタル吹付層等の草木苗植栽方法及びその草木苗を植栽した緑化法面並びに草木苗植栽用客土袋において、断熱素材として粒状の軽量骨材あるいは発泡スチロールもしくは発泡スチロール減容化材又は砕石もしくは砂利等を用い、前記の断熱素材にセメント等の硬化材を混合したものである。
【００１０】
本発明の第７は、第１の発明あるいは第２の発明又は第３の発明もしくは第４の発明に係る切土法面、硬質岩盤法面、モルタル吹付層等の草木苗植栽方法及びその草木苗を植栽した緑化法面並びに草木苗植栽用客土袋において、客土用袋体の下端辺の余剰シートを内側に折り込み、又はその別体の不透水性余剰シートを内側に折り込んだ状態に取付けて水分の貯留部を形成したものである。
【００１１】
【実施例】
以下、本発明の実施例を図面を以て説明する。図において、１は地山に植生基盤層を成形した法面、２は法面１に設置するための客土用袋体であり、上部に巾着状の開口部３を有し、且つその袋体の大気や日光に晒される表面４を内側と外側の二重構造４１・４２の耐腐食性シートとし、その内外の二重構造４１・４２のシートの間に断熱素材５を収納しておく。
前記の客土用袋体２は、その下端辺の余剰シート４４を内側に折り込み、又はその余剰シートを不透水性の別材料で取付けて折り込んで水分の貯留部４５を形成してある。
また、前記の断熱素材５としては、粒状の軽量骨材（ＡＬＣ）あるいは発泡スチロール（ＥＰＳ）もしくは発泡スチロール減容化材又は砕石もしくは砂利等を用いるものとするが、その他、断熱効果を有するものであればリサイクル素材を用いることも可能である。
また、前記の粒状の断熱素材にさらにセメント等の硬化材を加えて混合したものがある。この内外二重のシートの間に粒状の断熱部材５を収納したときの厚さｔは２〜１０ｃｍ程度に設定してある。また、法面１に接触する裏面４３は生育した植物の根が通過し、且つ地山からの水分が補給できる素材で作製してある。６は法面１に設置した客土用袋体２に対峙する部位から当該のり面の水平方向にあけた保水孔、７はその保水孔に収容した保水部材であり、保水性ポリマー材や麻や藁若しくは紙等の材料で縒った保水ロープや紐体を用いるのを可とする。８は客土用袋体２に詰めた客土、９は開口部３から植栽した低木植物、１０は法面に設置した客土用袋体２が垂れ下がるのを防止する垂れ止めベルト、１１は客土用袋体１を固定するためのアンカーピンである。
【００１２】
【具体的な施工例】
上記の実施例に基づく具体的な施工例を説明する。まず、客土用袋体２を設置しようとする法面１の水平方向に単一または複数の保水孔６をあけ、その保水孔内にロープ状又は紐体の保水部材７を挿入しておき、先端部位７１を法面１の外に露出しておく。次いで、客土８を詰めた客土用袋体２を、断熱素材５を収納してある表面４を大気に晒される側に向け、且つ裏面４３を法面１に設置してアンカーピン１１で固定する。また、垂れ止めベルト１０を客土用袋体２を抱持して法面１にアンカーピン１１で固定する。そして、袋体上部の開口部３から低木植物９を植栽し、その植栽後に巾着状に絞って開口部３を閉塞する。
【００１３】
図４及び図５にあっては、客土用袋体２の法面１に接触する裏面４３の上方において、法面１と裏面４３との間に、吸水兼透水性マット６１を配置すると共にアンカーピン１１で固定する。前記の吸水兼透水性マット６１は、スポンジマット等の緻密な網状体を図５のように厚さ２０ｍｍ、縦５０ｍｍ、横１５０〜２００ｍｍ程度の大きさに設定してある。この吸水兼透水性マット６１により、降雨時に法面１の表面上の流下水を吸水し、客土用客土袋２内に雨水を給水する。そして、余剰水は排水口部位２５より下方へ排水される。
また、断熱素材５を粒状の軽量骨材あるいは発泡スチロールもしくは発泡スチロール減容化材又は砕石もしくは砂利等を用い、さらに前記の断熱素材５にセメント等の硬化材を加えて混合したものにあっては、大気に晒される面に雨水等あたって水分が吸収されるとセメント等の硬化材が硬化してその断熱素材５の部分が保型化される。
【００１４】
図６にあっては、客土用袋体２の下端辺の余剰シート４４を内側に折り込んだ状態になって貯留部４５が形成されているため、客土耐の内部に浸透した雨水は排水される際にその水分の一部が貯留される。
【００１５】
【発明の効果】
本発明は上記の構造であるから、客土用袋体の表面は大気や日光に晒される度合いがきわめて高いので、乾燥し易い状態にあるが、耐腐食性シートに収納した断熱素材によって水分の放失が防止されて結露が生じるため、客土の機能が十分に発揮される。
また、袋体の法面に設置する裏面側は、植栽植物の生育によって根が裏面のシートを通過して法面側にも侵入して根の活着がより確実になる。
次いで、法面側にあけられた保水孔に挿入されている保水性部材によって、地山の水分が袋体内に安定的に補給され、植栽植物の確実な生育が図れる。
なお、客土用袋体の開口部は植栽後に巾着状に絞って結束するので、その開口部から雑草の種子の侵入を防ぐことができる。
さらに、降雨時に法面の表面上の流下水を上記の吸水兼透水性マットによって吸水し、客土用袋体内に雨水を給水することができる。そして、余剰水は排水口より下方へ流下して排水することができる。その際、一部の水は客土用袋体内の下部の貯留部に溜まって保水に必要な適量の水分を前記の袋体内に保有することができる。
そして、断熱素材を粒状の軽量骨材あるいは発泡スチロールもしくは発泡スチロール減容化材又は砕石もしくは砂利等を用いことによって、在来の法面に設置した客土用袋体を保護するためのモルタル吹付工が不要となり、これによってコストの低減を図ることができる。
しかも、前記の粒状の軽量骨材あるいは発泡スチロールもしくは発泡スチロール減容化材又は砕石もしくは砂利等にさらにセメント等の硬化材を加えて混合したものにあっては、大気に晒される面に雨水等で水分が吸収されるとセメント等の硬化材が硬化してその断熱素材の部分が保型化されるので、設置した客土用袋体の表面側を恰もモルタル吹付工によって保護した状態を得ることができる。
【図面の簡単な説明】
【図１】  本発明に係る切土法面、硬質岩盤法面、モルタル吹付層等に客土袋を設置して低木苗の植栽を施した正面図である。
【図２】  図１の中央縦断面図である。
【図３】  図２における袋体の一部の拡大図である。
【図４】  図１の他の実施例を示す正面図である。
【図５】  図４の中央縦断面図である。
【図６】  図２の袋体下部の他の実施例を示す拡大図である。
【符号の説明】
１    法面
２    客土用袋体
３    袋体の開口部
４    袋体の大気に晒される表面
５    断熱素材
６    法面にあけた保水孔
７    保水性部材
８    客土
９    低木植物
１０    垂れ止めベルト
１１    アンカーピン
４１    袋体の内外二重の外側の面
４２    袋体の内外二重の内側の面
４３    袋体の法面に接触する裏面
４４    余剰シート
４５    水分の貯留部
６１    給水兼透水性マット
【図１】
0003856998.tif 000002
【図２】
0003856998.tif 000003
【図３】
0003856998.tif 000004
【図４】
0003856998.tif 000005
【図５】
0003856998.tif 000006
【図６】
0003856998.tif 000007